【手続補正書】
【提出日】平成22年7月1日(2010.7.1)
【手続補正１】
【補正対象書類名】特許請求の範囲
【補正対象項目名】全文
【補正方法】変更
【補正の内容】
【特許請求の範囲】
【請求項１】
印刷データから、印刷に使用すべく設定された用紙のサイズに関する用紙サイズ情報と描画領域のサイズに関する描画領域サイズ情報とを取得する取得手段と、
前記用紙サイズ情報に基づく用紙のサイズと、前記描画領域サイズ情報に基づく描画領域のサイズとが一致していない場合に、前記印刷データを印刷すべく設定された印刷設定情報に基づいて、前記印刷データに基づく画像を形成する用紙と、その画像の描画領域とを決定する決定手段と、
前記決定手段により決定された用紙及び描画領域に従って、前記印刷データを用いて、用紙に画像を形成するための画像データを生成する生成手段とを有することを特徴とする画像処理装置。
【請求項２】
前記決定手段は、前記印刷設定情報に基づいて、前記画像を形成する用紙と当該画像の描画領域とを決定できない場合、印刷データの各ページに設定された描画領域サイズ情報および用紙サイズ情報を用いて、前記印刷データに基づく画像を形成する用紙と、当該画像の描画領域とを決定することを特徴とする請求項１に記載の画像処理装置。
【請求項３】
前記印刷設定情報と、画像を形成する用紙及びその画像の描画領域とを対応付けて登録する登録手段を更に有し、
前記決定手段は、前記登録手段によって前記印刷データを印刷すべく設定された印刷設定情報と対応づけて登録された画像を形成する用紙および当該画像の描画領域を、前記印刷データに基づく画像を形成する用紙と、当該画像の描画領域として決定することを特徴とする請求項１に記載の画像処理装置。
【請求項４】
前記決定手段は、前記用紙サイズ情報に基づく用紙のサイズと、基準の用紙サイズとを、ページ毎に比較する第１の比較手段と、
前記印刷データにおいて、前記基準の用紙サイズとの差が閾値以下である前記用紙サイズが設定されたページ数を計数する第１の計数手段と、
前記描画領域サイズ情報に基づく描画領域のサイズと、前記基準の用紙サイズとを、ページ毎に比較する第２の比較手段と、
前記印刷データにおいて、前記基準の用紙サイズとの差が前記閾値以下である前記描画領域サイズが設定されたページ数を計数する第２の計数手段とを更に有し、
前記決定手段は、前記第１の計数手段及び前記第２の計数手段により計数されたページ数に基づいて、前記印刷データに基づく画像を形成する用紙と、その画像の描画領域とを決定することを特徴とする請求項３に記載の画像処理装置。
【請求項５】
前記生成手段により生成された画像データを記憶媒体に記憶する第１の記憶手段と、
前記第１の記憶手段により記憶された画像データに対応する前記描画領域サイズ情報を記憶する第２の記憶手段と、を有することを特徴とする請求項１〜４の何れか１項に記載の画像処理装置。
【請求項６】
前記第１の記憶手段により記憶された画像データに基づく画像を形成する用紙と、その画像の描画領域とを、その画像データに対応する前記描画領域サイズ情報に基づいて決定する第２の決定手段と、
前記第２の決定手段により決定された用紙及び描画領域に基づいて、前記第１の記憶手段により記憶された画像データに基づく画像を生成する第２の生成手段と、を有することを特徴とする請求項５に記載の画像処理装置。
【請求項７】
前記決定手段は、設定された印刷設定情報に印刷物に対する断裁処理およびカラー印刷の少なくとも１つが含まれていた場合、前記印刷データに設定された用紙サイズ情報を用いて、前記印刷データに基づく画像を形成する用紙と、その画像の描画領域とを決定することを特徴とする請求項１〜６の何れか１項に記載の画像処理装置。
【請求項８】
前記決定手段は、前記用紙サイズ情報に基づく用紙のサイズに合わせて、前記印刷データに基づく画像を形成する用紙と、その画像の描画領域とを決定することと、
前記描画領域サイズ情報に基づく描画領域のサイズに合わせて、前記印刷データに基づく画像を形成する用紙と、その画像の描画領域とを決定することと、
前記用紙サイズ情報に基づく用紙のサイズに合わせて、前記印刷データに基づく画像を形成する用紙すると共に、前記描画領域サイズ情報に基づく描画領域のサイズに合わせて、前記印刷データに基づく画像の描画領域を決定することと、
の少なくとも何れか２つの中から１つを選択することを特徴とする請求項１〜７の何れか１項に記載の画像処理装置。
【請求項９】
印刷データから、印刷に使用すべく設定された用紙のサイズに関する用紙サイズ情報と描画領域のサイズに関する描画領域サイズ情報とを取得する取得手段と、
前記用紙サイズ情報に基づく用紙のサイズと、前記描画領域サイズ情報に基づく描画領域のサイズとが一致していない場合、操作画面を介して入力された指示に従って、前記用紙サイズ情報に基づく用紙を印刷に使用するか、前記描画領域のサイズに基づく用紙を印刷に使用するかを決定する決定手段とを有することを特徴とする画像処理装置。
【請求項１０】
印刷データから、印刷に使用すべく設定された用紙のサイズに関する用紙サイズ情報と描画領域のサイズに関する描画領域サイズ情報とを取得する取得ステップと、
前記用紙サイズ情報に基づく用紙のサイズと、前記描画領域サイズ情報に基づく描画領域のサイズとが一致していない場合に、前記印刷データを印刷すべく設定された印刷設定情報に基づいて、前記印刷データに基づく画像を形成する用紙と、その画像の描画領域とを決定する決定ステップと、
前記決定ステップにより決定された用紙及び描画領域に従って、前記印刷データを用いて、用紙に画像を形成するための画像データを生成する生成ステップとを有することを特徴とする画像処理方法。
【請求項１１】
印刷データから、印刷に使用すべく設定された用紙のサイズに関する用紙サイズ情報と描画領域のサイズに関する描画領域サイズ情報とを取得する取得ステップと、
前記用紙サイズ情報に基づく用紙のサイズと、前記描画領域サイズ情報に基づく描画領域のサイズとが一致していない場合、操作画面を介して入力された指示に従って、前記用紙サイズ情報に基づく用紙を印刷に使用するか、前記描画領域のサイズに基づく用紙を印刷に使用するかを決定する決定ステップとを有することを特徴とする画像処理方法。
【請求項１２】
印刷データから、印刷に使用すべく設定された用紙のサイズに関する用紙サイズ情報と描画領域のサイズに関する描画領域サイズ情報とを取得する取得ステップと、
前記用紙サイズ情報に基づく用紙のサイズと、前記描画領域サイズ情報に基づく描画領域のサイズとが一致していない場合に、前記印刷データを印刷すべく設定された印刷設定情報に基づいて、前記印刷データに基づく画像を形成する用紙と、その画像の描画領域とを決定する決定ステップと、
前記決定ステップにより決定された用紙及び描画領域に従って、前記印刷データを用いて、用紙に画像を形成するための画像データを生成する生成ステップとをコンピュータに実行させることを特徴とするコンピュータプログラム。
【請求項１３】
印刷データから、印刷に使用すべく設定された用紙のサイズに関する用紙サイズ情報と描画領域のサイズに関する描画領域サイズ情報とを取得する取得ステップと、
前記用紙サイズ情報に基づく用紙のサイズと、前記描画領域サイズ情報に基づく描画領域のサイズとが一致していない場合、操作画面を介して入力された指示に従って、前記用紙サイズ情報に基づく用紙を印刷に使用するか、前記描画領域のサイズに基づく用紙を印刷に使用するかを決定する決定ステップとをコンピュータに実行させることを特徴とするコンピュータプログラム。
【手続補正２】
【補正対象書類名】明細書
【補正対象項目名】００１３
【補正方法】変更
【補正の内容】
【００１３】
本発明の画像処理装置は、印刷データから、印刷に使用すべく設定された用紙のサイズに関する用紙サイズ情報と描画領域のサイズに関する描画領域サイズ情報とを取得する取得手段と、前記用紙サイズ情報に基づく用紙のサイズと、前記描画領域サイズ情報に基づく描画領域のサイズとが一致していない場合に、前記印刷データを印刷すべく設定された印刷設定情報に基づいて、前記印刷データに基づく画像を形成する用紙と、その画像の描画領域とを決定する決定手段と、前記決定手段により決定された用紙及び描画領域に従って、前記印刷データを用いて、用紙に画像を形成するための画像データを生成する生成手段とを有することを特徴とする。
また、本発明の他の態様では、印刷データから、印刷に使用すべく設定された用紙のサイズに関する用紙サイズ情報と描画領域のサイズに関する描画領域サイズ情報とを取得する取得手段と、前記用紙サイズ情報に基づく用紙のサイズと、前記描画領域サイズ情報に基づく描画領域のサイズとが一致していない場合、操作画面を介して入力された指示に従って、前記用紙サイズ情報に基づく用紙を印刷に使用するか、前記描画領域のサイズに基づく用紙を印刷に使用するかを決定する決定手段とを有することを特徴とする。
【手続補正３】
【補正対象書類名】明細書
【補正対象項目名】００１４
【補正方法】変更
【補正の内容】
【００１４】
本発明の画像処理方法は、印刷データから、印刷に使用すべく設定された用紙のサイズに関する用紙サイズ情報と描画領域のサイズに関する描画領域サイズ情報とを取得する取得ステップと、前記用紙サイズ情報に基づく用紙のサイズと、前記描画領域サイズ情報に基づく描画領域のサイズとが一致していない場合に、前記印刷データを印刷すべく設定された印刷設定情報に基づいて、前記印刷データに基づく画像を形成する用紙と、その画像の描画領域とを決定する決定ステップと、前記決定ステップにより決定された用紙及び描画領域に従って、前記印刷データを用いて、用紙に画像を形成するための画像データを生成する生成ステップとを有することを特徴とする。
また、本発明の他の態様では、印刷データから、印刷に使用すべく設定された用紙のサイズに関する用紙サイズ情報と描画領域のサイズに関する描画領域サイズ情報とを取得する取得ステップと、前記用紙サイズ情報に基づく用紙のサイズと、前記描画領域サイズ情報に基づく描画領域のサイズとが一致していない場合、操作画面を介して入力された指示に従って、前記用紙サイズ情報に基づく用紙を印刷に使用するか、前記描画領域のサイズに基づく用紙を印刷に使用するかを決定する決定ステップとを有することを特徴とする。
【手続補正４】
【補正対象書類名】明細書
【補正対象項目名】００１５
【補正方法】変更
【補正の内容】
【００１５】
本発明のコンピュータプログラムは、印刷データから、印刷に使用すべく設定された用紙のサイズに関する用紙サイズ情報と描画領域のサイズに関する描画領域サイズ情報とを取得する取得ステップと、前記用紙サイズ情報に基づく用紙のサイズと、前記描画領域サイズ情報に基づく描画領域のサイズとが一致していない場合に、前記印刷データを印刷すべく設定された印刷設定情報に基づいて、前記印刷データに基づく画像を形成する用紙と、その画像の描画領域とを決定する決定ステップと、前記決定ステップにより決定された用紙及び描画領域に従って、前記印刷データを用いて、用紙に画像を形成するための画像データを生成する生成ステップとをコンピュータに実行させることを特徴とする。
また、本発明の他の態様では、印刷データから、印刷に使用すべく設定された用紙のサイズに関する用紙サイズ情報と描画領域のサイズに関する描画領域サイズ情報とを取得する取得ステップと、前記用紙サイズ情報に基づく用紙のサイズと、前記描画領域サイズ情報に基づく描画領域のサイズとが一致していない場合、操作画面を介して入力された指示に従って、前記用紙サイズ情報に基づく用紙を印刷に使用するか、前記描画領域のサイズに基づく用紙を印刷に使用するかを決定する決定ステップとをコンピュータに実行させることを特徴とする。